(57)【特許請求の範囲】
【請求項１】
複数のカラーパッチの中から目標色に最も近い色のカラーパッチを選択するための色選択用カラーチャートを生成する色選択用カラーチャート生成装置であって、
前記カラーパッチに、
（ａ）入力データ色空間における前記カラーパッチの色の座標を表す値の表示と、
（ｂ）前記色選択用カラーチャートを形成する装置に依存する機器従属色空間における前記カラーパッチの色の座標を表す値の表示と、
（ｃ）前記表示（ａ）と前記表示（ｂ）の両方の表示と、
のうち二以上の表示の中から表示を切り替えて添えて前記色選択用カラーチャートを生成し、
前記カラーパッチに前記入力データ色空間における前記カラーパッチの色の座標を表す値の表示を添える場合、
色合わせのターゲット装置の特性を記述したプロファイルに従って、機器独立色空間において前記カラーパッチの色を表す第一座標値を前記入力データ色空間の第二座標値に変換し、
前記プロファイルに従って、前記第二座標値を前記機器独立色空間の第三座標値に変換し、
前記第三座標値に基づいて前記カラーパッチを形成する、色選択用カラーチャート生成装置。
【請求項２】
複数のカラーパッチの中から目標色に最も近い色のカラーパッチを選択するための色選択用カラーチャートを生成する色選択用カラーチャート生成装置であって、
前記カラーパッチに、
（ａ）入力データ色空間における前記カラーパッチの色の座標を表す値の表示と、
（ｂ）前記色選択用カラーチャートを形成する装置に依存する機器従属色空間における前記カラーパッチの色の座標を表す値の表示と、
（ｃ）前記表示（ａ）と前記表示（ｂ）の両方の表示と、
のうち二以上の表示の中から表示を切り替えて添えて前記色選択用カラーチャートを生成し、
色合わせのターゲット装置の特性を記述したプロファイルに従って、機器独立色空間において前記カラーパッチの色を表す第一座標値を前記入力データ色空間の第二座標値に変換し、
前記プロファイルに従って、前記第二座標値を前記機器独立色空間の第三座標値に変換し、
前記第一座標値と前記第三座標値との差が基準を超えた場合に該当するカラーパッチの色が前記ターゲット装置の色再現域外と推定されたことを前記色選択用カラーチャートに表す、色選択用カラーチャート生成装置。
【請求項３】
複数のカラーパッチの中から目標色に最も近い色のカラーパッチを選択するための色選択用カラーチャートを生成する色選択用カラーチャート生成方法であって、
前記カラーパッチに、
（ａ）入力データ色空間における前記カラーパッチの色の座標を表す値の表示と、
（ｂ）前記色選択用カラーチャートを形成する装置に依存する機器従属色空間における前記カラーパッチの色の座標を表す値の表示と、
（ｃ）前記表示（ａ）と前記表示（ｂ）の両方の表示と、
のうち二以上の表示の中から表示を切り替えて添えて前記色選択用カラーチャートを生成し、
前記カラーパッチに前記入力データ色空間における前記カラーパッチの色の座標を表す値の表示を添える場合、
色合わせのターゲット装置の特性を記述したプロファイルに従って、機器独立色空間において前記カラーパッチの色を表す第一座標値を前記入力データ色空間の第二座標値に変換し、
前記プロファイルに従って、前記第二座標値を前記機器独立色空間の第三座標値に変換し、
前記第三座標値に基づいて前記カラーパッチを形成する、色選択用カラーチャート生成方法。
【請求項４】
複数のカラーパッチの中から目標色に最も近い色のカラーパッチを選択するための色選択用カラーチャートを生成する色選択用カラーチャート生成方法であって、
前記カラーパッチに、
（ａ）入力データ色空間における前記カラーパッチの色の座標を表す値の表示と、
（ｂ）前記色選択用カラーチャートを形成する装置に依存する機器従属色空間における前記カラーパッチの色の座標を表す値の表示と、
（ｃ）前記表示（ａ）と前記表示（ｂ）の両方の表示と、
のうち二以上の表示の中から表示を切り替えて添えて前記色選択用カラーチャートを生成し、
色合わせのターゲット装置の特性を記述したプロファイルに従って、機器独立色空間において前記カラーパッチの色を表す第一座標値を前記入力データ色空間の第二座標値に変換し、
前記プロファイルに従って、前記第二座標値を前記機器独立色空間の第三座標値に変換し、
前記第一座標値と前記第三座標値との差が基準を超えた場合に該当するカラーパッチの色が前記ターゲット装置の色再現域外と推定されたことを前記色選択用カラーチャートに表す、色選択用カラーチャート生成方法。
【請求項５】
複数のカラーパッチの中から目標色に最も近い色のカラーパッチを選択するための色選択用カラーチャートを生成するための色選択用カラーチャート生成プログラムであって、
前記カラーパッチに、
（ａ）入力データ色空間における前記カラーパッチの色の座標を表す値の表示と、
（ｂ）前記色選択用カラーチャートを形成する装置に依存する機器従属色空間における前記カラーパッチの色の座標を表す値の表示と、
（ｃ）前記表示（ａ）と前記表示（ｂ）の両方の表示と、
のうち二以上の表示の中から表示を切り替えて添えて前記色選択用カラーチャートを生成する機能をコンピューターに実現させ、
前記カラーパッチに前記入力データ色空間における前記カラーパッチの色の座標を表す値の表示を添える場合、
色合わせのターゲット装置の特性を記述したプロファイルに従って、機器独立色空間において前記カラーパッチの色を表す第一座標値を前記入力データ色空間の第二座標値に変換し、
前記プロファイルに従って、前記第二座標値を前記機器独立色空間の第三座標値に変換し、
前記第三座標値に基づいて前記カラーパッチを形成する、色選択用カラーチャート生成プログラム。
【請求項６】
複数のカラーパッチの中から目標色に最も近い色のカラーパッチを選択するための色選択用カラーチャートを生成するための色選択用カラーチャート生成プログラムであって、
前記カラーパッチに、
（ａ）入力データ色空間における前記カラーパッチの色の座標を表す値の表示と、
（ｂ）前記色選択用カラーチャートを形成する装置に依存する機器従属色空間における前記カラーパッチの色の座標を表す値の表示と、
（ｃ）前記表示（ａ）と前記表示（ｂ）の両方の表示と、
のうち二以上の表示の中から表示を切り替えて添えて前記色選択用カラーチャートを生成する機能をコンピューターに実現させ、
色合わせのターゲット装置の特性を記述したプロファイルに従って、機器独立色空間において前記カラーパッチの色を表す第一座標値を前記入力データ色空間の第二座標値に変換し、
前記プロファイルに従って、前記第二座標値を前記機器独立色空間の第三座標値に変換し、
前記第一座標値と前記第三座標値との差が基準を超えた場合に該当するカラーパッチの色が前記ターゲット装置の色再現域外と推定されたことを前記色選択用カラーチャートに表す、色選択用カラーチャート生成プログラム。
【発明の詳細な説明】
【技術分野】
【０００１】
本発明は、色選択用カラーチャート生成装置、色選択用カラーチャート生成方法、及び、色選択用カラーチャート生成プログラムに関する。
【背景技術】
【０００２】
例えば、オフセット印刷機をターゲットとして印刷原稿データを生成し、ＲＩＰ（Raster Image Processor）で印刷原稿データを変換してインクジェットプリンターで印刷物を形成することが行われている。印刷した結果の色は、ターゲットの色と十分に近いことが期待されるが、様々な要因によって期待通りにならない場合がある。その場合、データを置き換え修正し、期待の色に近づけることも行われている。複数のカラーパッチが形成された色選択用カラーチャートは、例えば、前述の目標色を選択するために使用される。このような色選択用カラーチャートには、例えば、中心となる色から色を徐々に変化させた複数のカラーパッチが配置される。特許文献１に開示された色選択方法は、カラーチャートにおける色比較条件を指定し、指定された前記色比較条件の異なる変数にそれぞれ対応する色のカラーパッチが互いに隣接するように設けられた第１〜第３のカラーチャートを印刷するための画像データを生成している。
【先行技術文献】
【特許文献】
【０００３】
【特許文献１】特開２０１１−７７９３７号公報
【発明の概要】
【発明が解決しようとする課題】
【０００４】
色の置換は、ＲＩＰが持つ機能を利用することもできるが、色置換した結果の原稿データを保存したい場合もあり、その場合は、別のソフトウエアを用いて、色を置換することもある。また、多くの色を調整するためには、多くの時間がかかる。色調整のために利便性の高い色選択用カラーチャートが望まれる。
【０００５】
本発明の目的の一つは、色調整のために利便性の高い色選択用カラーチャートを提供することにある。
【課題を解決するための手段】
【０００６】
上記目的の一つを達成するため、本発明は、複数のカラーパッチの中から目標色に最も近い色のカラーパッチを選択するための色選択用カラーチャートを生成する色選択用カラーチャート生成装置であって、
前記カラーパッチに、
（ａ）入力データ色空間における前記カラーパッチの色の座標を表す値の表示と、
（ｂ）前記色選択用カラーチャートを形成する装置に依存する機器従属色空間における前記カラーパッチの色の座標を表す値の表示と、
（ｃ）前記表示（ａ）と前記表示（ｂ）の両方の表示と、
のうち二以上の表示の中から表示を切り替えて添えて前記色選択用カラーチャートを生成し、
前記カラーパッチに前記入力データ色空間における前記カラーパッチの色の座標を表す値の表示を添える場合、
色合わせのターゲット装置の特性を記述したプロファイルに従って、機器独立色空間において前記カラーパッチの色を表す第一座標値を前記入力データ色空間の第二座標値に変換し、
前記プロファイルに従って、前記第二座標値を前記機器独立色空間の第三座標値に変換し、
前記第三座標値に基づいて前記カラーパッチを形成する、態様を有する。
また、本発明は、複数のカラーパッチの中から目標色に最も近い色のカラーパッチを選択するための色選択用カラーチャートを生成する色選択用カラーチャート生成装置であって、
前記カラーパッチに、
（ａ）入力データ色空間における前記カラーパッチの色の座標を表す値の表示と、
（ｂ）前記色選択用カラーチャートを形成する装置に依存する機器従属色空間における前記カラーパッチの色の座標を表す値の表示と、
（ｃ）前記表示（ａ）と前記表示（ｂ）の両方の表示と、
のうち二以上の表示の中から表示を切り替えて添えて前記色選択用カラーチャートを生成し、
色合わせのターゲット装置の特性を記述したプロファイルに従って、機器独立色空間において前記カラーパッチの色を表す第一座標値を前記入力データ色空間の第二座標値に変換し、
前記プロファイルに従って、前記第二座標値を前記機器独立色空間の第三座標値に変換し、
前記第一座標値と前記第三座標値との差が基準を超えた場合に該当するカラーパッチの色が前記ターゲット装置の色再現域外と推定されたことを前記色選択用カラーチャートに表す、態様を有する。
【０００７】
さらに、本発明は、複数のカラーパッチの中から目標色に最も近い色のカラーパッチを選択するための色選択用カラーチャートを生成する色選択用カラーチャート生成方法であって、
前記カラーパッチに、上記表示（ａ）と、上記表示（ｂ）と、上記表示（ｃ）と、のうち二以上の表示の中から表示を切り替えて添えて前記色選択用カラーチャートを生成し、
前記カラーパッチに前記入力データ色空間における前記カラーパッチの色の座標を表す値の表示を添える場合、
色合わせのターゲット装置の特性を記述したプロファイルに従って、機器独立色空間において前記カラーパッチの色を表す第一座標値を前記入力データ色空間の第二座標値に変換し、
前記プロファイルに従って、前記第二座標値を前記機器独立色空間の第三座標値に変換し、
前記第三座標値に基づいて前記カラーパッチを形成する、態様を有する。
さらに、本発明は、複数のカラーパッチの中から目標色に最も近い色のカラーパッチを選択するための色選択用カラーチャートを生成する色選択用カラーチャート生成方法であって、
前記カラーパッチに、上記表示（ａ）と、上記表示（ｂ）と、上記表示（ｃ）と、のうち二以上の表示の中から表示を切り替えて添えて前記色選択用カラーチャートを生成し、
色合わせのターゲット装置の特性を記述したプロファイルに従って、機器独立色空間において前記カラーパッチの色を表す第一座標値を前記入力データ色空間の第二座標値に変換し、
前記プロファイルに従って、前記第二座標値を前記機器独立色空間の第三座標値に変換し、
前記第一座標値と前記第三座標値との差が基準を超えた場合に該当するカラーパッチの色が前記ターゲット装置の色再現域外と推定されたことを前記色選択用カラーチャートに表す、態様を有する。
【０００８】
さらに、本発明は、複数のカラーパッチの中から目標色に最も近い色のカラーパッチを選択するための色選択用カラーチャートを生成するための色選択用カラーチャート生成プログラムであって、
前記カラーパッチに、上記値（ａ）と、上記値（ｂ）と、上記表示（ｃ）と、のうち二以上の表示の中から表示を切り替えて添えて前記色選択用カラーチャートを生成する機能をコンピューターに実現させ、
前記カラーパッチに前記入力データ色空間における前記カラーパッチの色の座標を表す値の表示を添える場合、
色合わせのターゲット装置の特性を記述したプロファイルに従って、機器独立色空間において前記カラーパッチの色を表す第一座標値を前記入力データ色空間の第二座標値に変換し、
前記プロファイルに従って、前記第二座標値を前記機器独立色空間の第三座標値に変換し、
前記第三座標値に基づいて前記カラーパッチを形成する、態様を有する。
さらに、本発明は、複数のカラーパッチの中から目標色に最も近い色のカラーパッチを選択するための色選択用カラーチャートを生成するための色選択用カラーチャート生成プログラムであって、
前記カラーパッチに、上記値（ａ）と、上記値（ｂ）と、上記表示（ｃ）と、のうち二以上の表示の中から表示を切り替えて添えて前記色選択用カラーチャートを生成する機能をコンピューターに実現させ、
色合わせのターゲット装置の特性を記述したプロファイルに従って、機器独立色空間において前記カラーパッチの色を表す第一座標値を前記入力データ色空間の第二座標値に変換し、
前記プロファイルに従って、前記第二座標値を前記機器独立色空間の第三座標値に変換し、
前記第一座標値と前記第三座標値との差が基準を超えた場合に該当するカラーパッチの色が前記ターゲット装置の色再現域外と推定されたことを前記色選択用カラーチャートに表す、態様を有する。
【０００９】
上述した態様は、色調整のために利便性の高い色選択用カラーチャートを提供することができる。
【図面の簡単な説明】
【００１０】
【図１】原稿作成から印刷までのカラーマネジメントフローの例を模式的に示す図。
【図２】プロファイルに示される色再現域の例を模式的に示す図。
【図３】色選択用カラーチャートの印刷物の例を模式的に示す図。
【図４】図４Ａは入力値の表示が添えられたカラーパッチの例を模式的に示す図、図４Ｂはプリンターカラー値の表示が添えられたカラーパッチの例を模式的に示す図、図４Ｃは入力値とプリンターカラー値の表示が添えられたカラーパッチの例を模式的に示す図。
【図５】色調整装置の構成例を模式的に示すブロック図。
【図６】色調整処理の例を示すフローチャート。
【図７】色選択用カラーチャート印刷処理の例を示すフローチャート。
【発明を実施するための形態】
【００１１】
以下、本発明の実施形態を説明する。むろん、以下の実施形態は本発明を例示するものに過ぎず、実施形態に示す特徴の全てが発明の解決手段に必須になるとは限らない。
【００１２】
（１）本技術の概要：
まず、本願の図に示される例を参照して本発明に含まれる技術の概要を説明する。尚、本願の図は模式的に例を示す図であり、これらの図に示される各方向の拡大率は異なることがあり、各図は整合していないことがある。
【００１３】
［態様１］
図３，４Ａ〜４Ｃ，５に例示するように、色選択用カラーチャート生成装置（例えば色調整装置１００）は、複数のカラーパッチＰＡ１の中から目標色に最も近い色のカラーパッチを選択するための色選択用カラーチャートＣＨ１を生成する。色選択用カラーチャート生成装置は、前記カラーパッチＰＡ１に、
（ａ）入力データ色空間における前記カラーパッチＰＡ１の色の座標を表す値（例えば入力値Ｖ１）の表示と、
（ｂ）前記色選択用カラーチャートＣＨ１を形成する装置（例えばプリンター５０３）に依存する機器従属色空間における前記カラーパッチＰＡ１の色の座標を表す値（例えばプリンターカラー値Ｖ２）の表示と、
（ｃ）前記表示（ａ）と前記表示（ｂ）の両方の表示と、
のうち二以上の表示の中から表示を切り替えて添えて前記色選択用カラーチャートＣＨ１を生成する。
【００１４】
入力データ色空間におけるカラーパッチの色の座標を表す色（Ｖ１）の表示は、ソフトウエアを用いて原稿データを修正する際に便利である。また、出力側の機器従属色空間におけるカラーパッチの色の座標を表す色（Ｖ２）の表示は、ＲＩＰの色置換機能を利用して、入力データを直接出力データに変換する指定をする際に便利である。
以上より、上記態様１は、色調整のために利便性の高い色選択用カラーチャートを提供することができる。
【００１５】
ここで、色選択用カラーチャートは、被印刷物（print substrate）等といった媒体に形成されてもよいし、表示装置に表示されてもよい。
入力データ色空間は、入力データ（例えば後述する入力データＤ１）に対応する色を定める色空間であればよく、ＲＩＰの設定で決定される入力側の色空間、ターゲット装置（例えばターゲット印刷機５８０）に依存する機器従属色空間、等を含む。ターゲット装置は、オフセット印刷機、グラビア印刷機、フレキソ印刷機、等を含む。
入力データ色空間、及び、機器従属色空間は、ＣＭＹ（シアン、マゼンタ、及び、イエロー）色空間、ＣＭＹＫ（シアン、マゼンタ、イエロー、及び、ブラック）色空間、ＲＧＢ（赤、緑、及び、青）色空間、等を含む。
【００１６】
［態様２］
ところで、色選択用カラーチャート生成装置は、前記カラーパッチＰＡ１を形成する予定の位置の色が色合わせのターゲット装置（５８０）の色再現域Ｒ１外と推定される位置に点線枠Ｆ１を表示してもよい。この態様は、ターゲット装置（５８０）で再現されない色を直接確認することができるので、色調整のために利便性のさらに高い色選択用カラーチャートを提供することができる。
【００１７】
［態様３］
図３，４Ａ〜４Ｃ，６，７に例示するように、複数のカラーパッチＰＡ１の中から目標色に最も近い色のカラーパッチを選択するための色選択用カラーチャートＣＨ１を生成する色選択用カラーチャート生成方法は、前記表示（ａ）（例えば入力値Ｖ１の表示）と、前記表示（ｂ）（例えばプリンターカラー値Ｖ２の表示）と、前記表示（ｃ）（例えば両方の値（ａ），（ｂ）の表示）と、のうち二以上の表示の中から表示を切り替えて添えて前記色選択用カラーチャートＣＨ１を生成する。この態様は、色調整のために利便性の高い色選択用カラーチャートの生成方法を提供することができる。
【００１８】
［態様４］
本色選択用カラーチャート生成方法は、色合わせのターゲット装置（例えばターゲット印刷機５８０）の特性を記述したプロファイル（例えば基準プロファイル５１１）に従って、機器独立色空間において前記カラーパッチＰＡ１の色を表す第一座標値（例えば後述する式(4)の(Lp,ap,bp)）を前記入力データ色空間の第二座標値（例えば後述する式(4)で表される(Cp,Mp,Yp,Kp)）に変換する第一変換工程ＳＴ２を含んでもよい。また、本色選択用カラーチャート生成方法は、前記プロファイル（５１１）に従って、前記第二座標値を前記機器独立色空間の第三座標値（例えば後述する式(5)で表される(Lp',ap',bp')）に変換する第二変換工程ＳＴ３を含んでもよい。前記カラーパッチＰＡ１に前記入力データ色空間における前記カラーパッチの色の座標を表す値（Ｖ１）の表示を添える場合、本色選択用カラーチャート生成方法は、前記第三座標値に基づいて前記カラーパッチＰＡ１を形成するパッチ形成工程ＳＴ４を含んでもよい。
【００１９】
プロファイルに従った変換には誤差が発生することがある。このため、プロファイル（５１１）に従って機器独立色空間の第一座標値を入力データ色空間の第二座標値に変換してカラーパッチに入力データ色空間におけるカラーパッチの色の座標を表す値の表示を添えると、この表示に対応する第二座標値をプロファイル（５１１）に従って機器独立色空間の第三座標値に変換してカラーパッチを形成する際に誤差が色に影響することがある。上記態様は、第二座標値が機器独立色空間の第三座標値に変換されて該第三座標値に基づいたカラーパッチが形成されるので、カラーパッチに添えられた値で示される色をさらに正確に表現した色選択用カラーチャートを生成することができる。
ここで、機器独立色空間は、ＣＩＥ（国際照明委員会）Ｌ*ａ*ｂ*色空間、ＣＩＥ Ｌ*ｕ*ｖ*色空間、等を含み、色差式ＣＩＥＤＥ２０００、ＣＭＣ、ＣＩＥＤＥ９４、等に基づく改良均等色空間も含む。
【００２０】
［態様５］
本色選択用カラーチャート生成方法は、前記第一座標値と前記第三座標値との差（例えば後述する式(7)で表される色差ΔＥp-p'）が基準（例えば閾値ＴＨ）を超えた場合に該当するカラーパッチの色が色合わせのターゲット装置（５８０）の色再現域Ｒ１外と推定されたことを前記色選択用カラーチャートＣＨ１に表す色再現域外表示工程ＳＴ５を含んでもよい。この態様は、ターゲット装置（５８０）で再現されない色を直接確認することができるので、色調整のために利便性のさらに高い色選択用カラーチャートの生成方法を提供することができる。
【００２１】
［態様６］
本色選択用カラーチャート生成方法は、前記表示（ａ）と、前記表示（ｂ）と、前記表示（ｃ）と、のうち二以上の表示の中から前記カラーパッチＰＡ１に添える二以上の値の設定を受け付ける表示値設定工程ＳＴ１を含んでもよく、該受け付けた設定の表示を前記カラーパッチＰＡ１に添えて前記色選択用カラーチャートＣＨ１を生成してもよい。本態様は、表示をカラーパッチに添える値を選択することができるので、利便性をさらに向上させることができる。
【００２２】
［態様７］
図３，４Ａ〜４Ｃ，５〜７に例示するように、複数のカラーパッチＰＡ１の中から目標色に最も近い色のカラーパッチを選択するための色選択用カラーチャートＣＨ１を生成するための色選択用カラーチャート生成プログラムＰＲ１は、前記カラーパッチＰＡ１に、前記表示（ａ）（例えば入力値Ｖ１の表示）と、前記表示（ｂ）（例えばプリンターカラー値Ｖ２の表示）と、前記表示（ｃ）（例えば両方の値（ａ），（ｂ）の表示）と、のうち二以上の表示の中から表示を切り替えて添えて前記色選択用カラーチャートＣＨ１を生成する機能をコンピューターに実現させる。この態様は、色調整のために利便性の高い色選択用カラーチャートの生成プログラムを提供することができる。本プログラムは、表示値設定工程ＳＴ１に対応する表示値設定機能ＦＵ１、第一変換工程ＳＴ２に対応する第一変換機能ＦＵ２、第二変換工程ＳＴ３に対応する第二変換機能ＦＵ３、パッチ形成工程ＳＴ４に対応するパッチ形成機能ＦＵ４、及び、色再現域外表示工程ＳＴ５に対応する色再現域外表示機能ＦＵ５をコンピューターに実現させてもよい。
【００２３】
さらに、本技術は、色選択用カラーチャート、色選択用カラーチャート生成装置を含む複合装置、これらの装置の制御方法、これらの装置の制御プログラム、色選択用カラーチャート生成プログラムや前記制御プログラムを記録したコンピューター読み取り可能な媒体、等に適用可能である。前述の装置は、分散した複数の部分で構成されてもよい。
【００２４】
（２）カラーマネジメントシステムの具体例：
まず、図１を参照して、本技術を適用可能なカラーマネジメントシステムの例を説明する。
図１に示すカラーマネジメントシステム５００は、印刷原稿作成アプリケーション５０１で印刷原稿データ５１２（入力データＤ１の例）を生成し、ＲＩＰ５０２で出力データＤ２に変換してインクジェットプリンター５０３に印刷物５０４を形成させる。印刷原稿作成アプリケーション５０１には、例え
ば、Adobe（登録商標）Illustrator（登録商標）等を使用可能である。インクジェットプリンター５０３は、少なくとも、ＣＭＹＫ（シアン、マゼンタ、イエロー、及び、ブラック）のインク（色材）を使用するものとする。
【００２５】
印刷原稿データ５１２は、色合わせのターゲット装置の例であるターゲット印刷機５８０のＣＭＹＫのインク（色材）で目標とする色Ｃtを再現するためのプロセスカラーＣＭＹＫinを表すデータである。ターゲット印刷機５８０は、オフセット印刷機であるものとするが、グラビア印刷機、フレキソ印刷機、等でもよい。目標とする色Ｃtは、例えば、ＣＩＥ（国際照明委員会）Ｌ*ａ*ｂ*色空間（機器独立色空間の例）の座標値（Ｌt，ａt，ｂtとする。）で表される。プロセスカラーＣＭＹＫinは、ターゲット印刷機５８０で使用されるＣＭＹＫのインクの使用量に対応し、ターゲット印刷機５８０に依存するＣＭＹＫ色空間（入力データ色空間の例）の座標を表す。印刷原稿作成アプリケーション５０１は、印刷原稿データ５１２の生成に使用される基準プロファイル５１１を参照して色ＣtをプロセスカラーＣＭＹＫinに変換する。図１では、基準プロファイル５１１を「OffsetProfile」と表記している。基準プロファイル５１１は、ターゲット印刷機５８０で使用されるインクの色特性を記述したファイルであり、例えば、ＩＣＣ（International Color Consortium）プロファイルと呼ばれるデータフォーマットを用いることができる。具体的には、例えば、JapanColor（登録商標）ＩＣＣプロファイル等を基準プロファイル５１１に使用可能である。
【００２６】
また、印刷原稿作成アプリケーション５０１は、基準プロファイル５１１を印刷原稿データ５１２に埋め込むことがある。さらに、印刷原稿作成アプリケーション５０１は、カラーライブラリーの色名５３１が指定されると印刷原稿データ５１２に色名５３１を設定する。カラーライブラリーには、例えば、Pantone（登録商標）カラーライブラリー等を使用可能である。
【００２７】
ＲＩＰ５０２は、入力プロファイル５２１、プリンタープロファイル５２２、及び、カラーライブラリー５３２を有している。入力プロファイル５２１は、プロセスカラーＣＭＹＫinと、Ｌ*ａ*ｂ*色空間の色Ｌａｂinと、の変換に用いられる。プリンタープロファイル５２２は、Ｌ*ａ*ｂ*色空間の色Ｌａｂinと、インクジェットプリンター５０３に依存するＣＭＹＫ色空間の座標を表す印刷色ｃｍｙｋpと、の変換に用いられる。図１では、入力プロファイル５２１を「InputProfile」と表記し、プリンタープロファイル５２２を「PrinterProfile」と表記している。両プロファイル５２１，５２２には、例えば、ＩＣＣプロファイルのデータフォーマットを用いることができる。プリンタープロファイル５２２は、インクジェットプリンター５０３で使用されるインクの色特性を記述したファイルである。入力プロファイル５２１には、ターゲット印刷機５８０の色を再現する点で基準プロファイル５１１が設定されるが、この基準プロファイル５１１とは異なるプロファイルがユーザーにより設定されることがある。印刷原稿データ５１２に基準プロファイル５１１が埋め込まれている場合、ＲＩＰ５０２は、設定された入力プロファイル５２１として基準プロファイル５１１を使用してもよい。
【００２８】
図２は、基準プロファイル５１１に示される色再現域Ｒ１、及び、プリンタープロファイル５２２に示される色再現域Ｒ２を模式的に例示している。図２中、横軸は彩度、縦軸は明度Ｌ*を示し、「Ｋ１００％」は色再現域Ｒ１，Ｒ２のブラック１００％の黒点を示し、「Ｗ１００％」は色再現域Ｒ１，Ｒ２のホワイト１００％の白点を示し、「Ｃ１００％」は色再現域Ｒ１，Ｒ２のシアン１００％の点を示し、「Ｍ１００％」は色再現域Ｒ１，Ｒ２のマゼンタ１００％の点を示している。図２において、色再現域Ｒ１は太線で囲まれた領域であり、色再現域Ｒ２は細線で囲まれた領域である。インクジェットプリンター５０３の色再現域がターゲット印刷機５８０の色再現域よりも広い場合、図２に示すように基準プロファイル５１１で利用される色再現域Ｒ１よりもプリンタープロファイル５２２で利用される色再現域Ｒ２の方が広い。従って、本来の色Ｃtが色再現域Ｒ１の外であるが色再現域Ｒ２の範囲内（例えば点ＣＯ１）にある場合、基準プロファイル５１１に従うと色再現域Ｒ１の範囲内にクリップされる。また、本来の色Ｃtが色再現域Ｒ２の外（例えば点ＣＯ２）にある場合、基準プロファイル５１１に従う場合よりもプリンタープロファイル５２２に従う場合のクリップの量を少なくすることができる。
【００２９】
尚、プロファイルは、入力色と出力色との対応関係を定義したカラー属性ファイルである。プリンタープロファイルは、例えば、プリンターの機種、被印刷物の種類、観察光源、等の使用条件に応じて色の対応関係が変わるため、プリンターの機種毎、被印刷物の種類毎、観察光源毎、等の使用条件毎に用意される。また、色材のロット、プリンターの使用期間、等に応じても色の対応関係が変わることがあるため、これらの使用条件に応じてプリンタープロファイルを用意してもよい。プリンターがＣＭＹＫの色材を使用する場合、例えば、入力色としてＬ*ａ*ｂ*色空間の色彩値（Ｌ*値、ａ*値、及び、ｂ*値）が定義され、出力色としてＣＭＹＫの色材の使用量を表す値（Ｃ値、Ｍ値、Ｙ値、及び、Ｋ値）が定義される。
【００３０】
印刷原稿データ５１２のプロセスカラーＣＭＹＫinは、入力プロファイル５２１に従ってＬ*ａ*ｂ*色空間の色Ｌａｂinに変換され、プリンタープロファイル５２２に従って印刷色ｃｍｙｋpに変換される。インクジェットプリンター５０３がＣＭＹＫの計４色のインクを使用する場合、印刷色ｃｍｙｋpは、インクジェットプリンター５０３に出力され、印刷物５０４に再現される。プリンター５０３がＬｃ（ライトシアン）、Ｌｍ（ライトマゼンタ）、Ｄｙ（ダークイエロー）、Ｌｋ（ライトブラック）、等のインクも使用する場合、ＲＩＰ５０２又はプリンター５０３が印刷色ｃｍｙｋpを濃色と淡色に分版すると、プリンター５０３が印刷色ｃｍｙｋpを印刷物５０４に再現することができる。むろん、印刷色自体も、ＣＭＹＫの計４色に限定されない。
また、印刷原稿データ５１２に色名５３１が設定されている場合、ＲＩＰ５０２は、カラーライブラリー５３２を参照して色名５３１をＬ*ａ*ｂ*色空間の色Ｌａｂinに変換することがある。
さらに、ＲＩＰ５０２は、プロセスカラーＣＭＹＫin以外にも、減法混色となる三原色ＣＭＹのみの色材の使用量を表すプロセスカラー（ＣＭＹinとする。）、加法混色となる三原色Ｒ（赤）、Ｇ（緑）、及び、Ｂ（青）の強度を表すプロセスカラー（ＲＧＢinとする。）、等とＬ*ａ*ｂ*色空間の座標値とを変換するための入力プロファイルも有している。従って、ＲＩＰ５０２は、プロセスカラーＣＭＹinやプロセスカラーＲＧＢin等もＬ*ａ*ｂ*色空間経由で印刷色ｃｍｙｋpに変換可能である。従って、本技術の入力データ色空間は、プロセスカラーＣＭＹinに対応する色を定めるＣＭＹ色空間、プロセスカラーＲＧＢinに対応する色を定めるＲＧＢ色空間、等を含む。加えて、ＲＩＰ５０２は、Ｌ*ａ*ｂ*色空間の色Ｌａｂinを入力して印刷色ｃｍｙｋpに変換することも可能である。
【００３１】
インクジェットプリンター５０３で再現される印刷色ｃｍｙｋpは、基本的には、本来の色Ｃtを再現することが期待された色である。しかし、下記のような要因によって、印刷色ｃｍｙｋpが期待する色にならず、印刷色の調整が必要となることがある。
（要因１）ターゲット印刷機５８０の色再現域に制限があるため、色ＣtをプロセスカラーＣＭＹＫinに変換する際に彩度が低下する。
（要因２）印刷原稿データ生成時に用いた基準プロファイル５１１と、ＲＩＰ５０２でプロセスカラーＣＭＹＫinをＬ*ａ*ｂ*色空間の色Ｌａｂinに変換した時に用いた入力プロファイル５２１と、が異なる。
（要因３）プロファイル５１１，５２１，５２２の変換の精度が充分でない。
（要因４）色の座標値Ｌt，ａt，ｂtと、実際のカラーチップの色と、にずれがある。
（要因５）インクジェットプリンター５０３で印刷したところ、ユーザーの好みに合わなかった。
（要因６）インクジェットプリンター５０３にも色再現域に制限があるため、本来の色Ｃtを再現することができない。
【００３２】
そこで、ＲＩＰ５０２は、色空間の或る点のプロセスカラーＣＭＹＫinが入力された場合に印刷色ｃｍｙｋpを設定された色（ｃｍｙｋ p'とする。）に置き換える機能を有している。この置き換えを、色置換５４０と呼ぶことにする。色置換前の印刷色ｃｍｙｋpは、設定されたプロファイル５２１，５２２に従って印刷原稿データ５１２から得られる出力データＤ２で表される現在色である。ＲＩＰ５０２の機能で色置換をする場合、図４Ｂに例示するようにプリンターカラー値Ｖ２をカラーパッチＰＡ１に添えると、色選択用カラーチャートを見て条件を変えて次の色選択用カラーチャートを生成するためにどのように条件を変えればよいかの判断材料となり、色を調整する作業の短縮化及び効率化を図ることができる。
【００３３】
しかし、ユーザーによっては、ＲＩＰ５０２の中で色置換をするのではなく、元の印刷原稿データ５１２のデバイスカラーを変えたい場合がある。変更内容をファイルとして保存しておきたいためである。その場合、カラーパッチに添えるカラー値はプリンターカラー値Ｖ２では都合が悪く、別途画像編集アプリケーションでカラーパッチを作成することで対応する必要がある。本具体例は、図４Ａ，４Ｃに例示するように入力値Ｖ１をカラーパッチＰＡ１に添えることが可能であるので、元の印刷原稿データ５１２のデバイスカラーをどのように変えればよいかの判断材料となり、色を調整する作業の短縮化及び効率化を図ることができる。併せて、本具体例は、高精度の色のカラーパッチを形成し、ターゲット装置の色再現域外である場合にはそのことを色選択用カラーチャートに表すことにより、利便性を向上させることができる。
【００３４】
（３）色選択用カラーチャートの具体例：
図３は、色置換を行うための色選択用カラーチャートの例として、複数のカラーパッチＰＡ１の中から目標色に最も近い色のカラーパッチを選択するための色選択用カラーチャートＣＨ１の印刷物ＰＴ１を模式的に示している。パッチは、色票とも呼ばれる。図３に示す複数のカラーパッチＰＡ１は、被印刷物Ｍ１に対して、Ｌ*ａ*ｂ*色空間の色差ΔＥが均等となるように縦横に並べられている。色差ΔＥの一般式は、例えば、明度Ｌ*の差をΔＬ、色座標ａ*の差をΔａ、色座標ｂ*の差をΔｂとして、ΔＥ＝｛（ΔＬ）2＋（Δａ）2＋（Δｂ）2｝1/2で表される。
【００３５】
図３に示す各カラーパッチＰＡ１の形成予定位置には、便宜上、識別番号１１〜５５を付している。ここで、識別番号１４，１５，２５の形成予定位置は、ターゲット印刷機５８０の色再現域外となるためパッチの色で塗り潰されず、点線で囲んだ点線枠Ｆ１のみ形成されている。塗り潰されたパッチには、ハッチングを付している。
【００３６】
被印刷物Ｍ１に形成された色選択用カラーチャートＣＨ１には、現在色を表現する中心（識別番号３３）のパッチＰＡ１ａの色Ｃp（図１参照）から色を徐々に変化させた複数のパッチＰＡ１が配置されている。図３に示す各印刷物ＰＴ１は、同一明度において、色相及び彩度を表す色座標ａ*，ｂ*を変化させている。図３に示す模式的な例では、下の印刷物から上の印刷物に向かって明度Ｌ*が明度差ΔＬ１（ΔＬ１＞０）ずつ増えるように５×５個（中心のパッチＰＡ１ａからのパッチ間隔数ｎ＝２、パッチ数Ｎ＝（２ｎ＋１）3）のパッチＰＡ１が配置され、各印刷物ＰＴ１について、左から右に向かって色座標ａ*が彩度差Δａ１（Δａ１＞０）ずつ増えるようにパッチＰＡ１が並べられ、下から上に向かって色座標ｂ*が彩度差Δｂ１（Δｂ１＞０）ずつ増えるようにパッチＰＡ１が並べられている。すなわち、印刷物毎にパッチＰＡ１が色差ΔＬ１の間隔で配置され、横方向においてパッチＰＡ１は色差Δａ１の間隔で配置され、縦方向においてパッチＰＡ１は色差Δｂ１の間隔で配置されている。本具体例ではパッチ間の色差をｄとしてｄ＝ΔＬ１＝Δａ１＝Δｂ１であるものとするが、ΔＬ１＝Δａ１＝Δｂ１でない場合も本技術に含まれる。
【００３７】
ここで、複数のカラーパッチＰＡ１の中で連続した３つのカラーパッチを順に第一カラーパッチＰ１、第二カラーパッチＰ２、及び、第三カラーパッチＰ３とする。パッチＰ１〜Ｐ３は、横方向に隣り合っていてもよいし、縦方向に隣り合っていてもよい。横方向に隣り合っている例を挙げると、識別番号２３のパッチＰＡ１を第一カラーパッチＰ１に当てはめると、右隣にある識別番号２４のパッチＰＡ１が第二カラーパッチＰ２に当てはまり、さらに右隣にある識別番号２５のパッチＰＡ１が第二カラーパッチＰ２に当てはまる。この場合のパッチＰ１，Ｐ２間の色差とパッチＰ２，Ｐ３間の色差は、同じΔａ１である。縦方向に隣り合っている例を挙げると、識別番号５２のパッチＰＡ１を第一カラーパッチＰ１に当てはめると、一つ上にある識別番号４２のパッチＰＡ１が第二カラーパッチＰ２に当てはまり、さらに一つ上にある識別番号３２のパッチＰＡ１が第二カラーパッチＰ２に当てはまる。この場合のパッチＰ１，Ｐ２間の色差とパッチＰ２，Ｐ３間の色差は、同じΔｂ１である。
【００３８】
また、図３に示す各パッチＰＡ１には、ターゲット印刷機５８０、及び／又は、インクジェットプリンター５０３に依存する色空間のカラー値Ｖ０の表示が添えられている。図４Ａ〜４Ｃは、カラー値Ｖ０の表示が添えられたカラーパッチＰＡ１の例を模式的に示している。
【００３９】
図４Ａは、ターゲット印刷機５８０に依存するＣＭＹＫ色空間（入力データ色空間の例）におけるカラーパッチＰＡ１の色の座標を表す入力値Ｖ１（カラー値Ｖ０の例）の表示が添えられたカラーパッチＰＡ１の例を模式的に示している。尚、括弧内の「＊」は、無いものとする。例えば、図４Ａの真ん中のカラーパッチＰＡ１１の下には色のＣ座標を表すＣ値「０」、色のＭ座標を表すＭ値「３０」、色のＹ座標を表すＹ値「２０」、及び、色のＫ座標を表すＫ値「０」からなる入力値Ｖ１の表示が付され、この入力値Ｖ１に対応する色でカラーパッチＰＡ１１が塗り潰されている。尚、Ｃ値、Ｍ値、Ｙ値、及び、Ｋ値は、０〜１００％の百分率でもよいし、０〜２５５の整数といった階調値等でもよい。カラーパッチＰＡ１１の右隣のパッチ形成予定位置は、パッチの色で塗り潰されず、点線枠Ｆ１が形成されている。
【００４０】
図４Ｂは、色選択用カラーチャートＣＨ１を形成するインクジェットプリンター５０３に依存するＣＭＹＫ色空間（機器従属色空間の例）におけるカラーパッチＰＡ１の色の座標を表すプリンターカラー値Ｖ２（カラー値Ｖ０の例）の表示が添えられたカラーパッチＰＡ１の例を模式的に示している。例えば、図４Ｂの真ん中のカラーパッチＰＡ１２の下には色のＣ座標を表すｃ値「０」、色のＭ座標を表すｍ値「３１」、色のＹ座標を表すｙ値「１９」、及び、色のＫ座標を表すｋ値「０」からなるプリンターカラー値Ｖ２の表示が付され、このプリンターカラー値Ｖ２に対応する色でカラーパッチＰＡ１２が塗り潰されている。尚、ｃ値、ｍ値、ｙ値、及び、ｋ値は、０〜１００％の百分率でもよいし、０〜２５５の整数といった階調値等でもよい。
【００４１】
図４Ｃは、入力値Ｖ１とプリンターカラー値Ｖ２の両方の表示が添えられたカラーパッチＰＡ１の例を模式的に示している。例えば、図４Ｃの真ん中のカラーパッチＰＡ１３の下には、左側に入力値Ｖ１の表示が付され、右側にプリンターカラー値Ｖ２の表示が付されている。むろん、左側にプリンターカラー値Ｖ２の表示を配置し、右側に入力値Ｖ１の表示を配置してもよい。
尚、カラー値Ｖ０を添える位置は、カラーパッチＰＡ１の下に限定されず、パッチＰＡ１の上、パッチＰＡ１の左、パッチＰＡ１の右、等でもよい。
【００４２】
（４）カラー値の計算、及び、色再現域外の推定の例：
次に、カラー値Ｖ０を計算する例、及び、ターゲット印刷機５８０の色再現域Ｒ１の外か否かを推定する例を説明する。
まず、プロファイルを使った色変換について、関数ｆICCを定義する。
(L,a,b)＝ｆICC (Profile,A2B,(C,M,Y,K))  …(1)
(C,M,Y,K)＝ｆICC (Profile,B2A,(L,a,b))  …(2)
ただし、LはＬ*ａ*ｂ*色空間の明度Ｌ*、aはＬ*ａ*ｂ*色空間の色座標ａ*、bはＬ*ａ*ｂ*色空間の色座標ｂ*、Cは機器従属のＣＭＹＫ色空間におけるＣの座標、Mは機器従属のＣＭＹＫ色空間におけるＭの座標、Yは機器従属のＣＭＹＫ色空間におけるＹの座標、Kは機器従属のＣＭＹＫ色空間におけるＫの座標、を表す。
関数ｆICCはプロファイルを参照して色変換を行う関数であり、式(1)はC,M,Y,K値をL,a,b値に変換する例を示し、式(2)はL,a,b値をC,M,Y,K値に変換する例を示している。
第一引数は、参照するプロファイルを意味する。第二引数は、色変換方向を示し、「A2B」はC,M,Y,K値をL,a,b値に変換することを意味し、「B2A」はL,a,b値をC,M,Y,K値に変換することを意味する。第三引数は、入力カラー値を意味する。
【００４３】
生成される予定のカラーパッチＰＡ１の色を表すＬ*ａ*ｂ*色空間の座標値を(Lp,ap,bp)とすると、インクジェットプリンター５０３に依存するＣＭＹＫ色空間におけるパッチＰＡ１の色ｃｍｙｋpの座標値(cp,mp,mp,kp)は、式(2)から以下のように求めることができる。
(cp,mp,yp,kp)＝ｆICC (PrinterProfile,B2A,(Lp,ap,bp))  …(3)
ここで、第一引数の「PrinterProfile」は、プリンタープロファイル５２２を参照して色変換を行うことを意味している。
座標値(cp,mp,mp,kp)に基づいて、プリンターカラー値Ｖ２をパッチＰＡ１に添えることができる。中心のパッチＰＡ１ａの色は、現在色であり、L,a,b値を(Lin_p,ain_p,bin_p)とする。
【００４４】
また、入力プロファイル５２１に基準プロファイル５１１が設定されているとして、ターゲット印刷機５８０に依存するＣＭＹＫ色空間におけるパッチＰＡ１の色（ＣＭＹＫpとする。）の座標値(Cp,Mp,Yp,Kp)は、式(2)から以下のように求めることができる。
(Cp,Mp,Yp,Kp)＝ｆICC (OffsetProfile,B2A,(Lp,ap,bp))  …(4)
ここで、第一引数の「OffsetProfile」は、基準プロファイル５１１を参照して色変換を行うことを意味している。座標値(Lp,ap,bp)は第一座標値の例であり、座標値(Cp,Mp,Yp,Kp)は第二座標値の例である。
座標値(Cp,Mp,Yp,Kp)に基づいて、入力値Ｖ１をパッチＰＡ１に添えることができる。
【００４５】
ＲＩＰ５０２は、座標値(Cp,Mp,Yp,Kp)を表すプロセスカラーを基準プロファイル５１１に従ってL,a,b値(L p',a p',b p')に変換し、さらにプリンタープロファイル５２２に従ってC,M,Y,K値(c p',m p',y p',k p')に変換する。
(L p',a p',b p')＝ｆICC (OffsetProfile,A2B,(Cp,Mp,Yp,Kp))  …(5)
(c p',m p',y p',k p')＝ｆICC (PrinterProfile,B2A,(L p',a p',b p'))  …(6)
座標値(L p',a p',b p')は、第三座標値の例である。
【００４６】
上記式(5)においてL,a,b値を再計算するのは、L,a,b値とC,M,Y,K値との相互変換に誤差が発生するためであり、座標値(Cp,Mp,Yp,Kp)を表すプロセスカラーから正確に印刷色を求める必要があるためである。特に、C,M,Y,K値が階調値（例えば２５６階調）である場合、相互変換に誤差が生じ易い。
【００４７】
ここで、生成される予定のカラーパッチＰＡ１の色(Lp,ap,bp)がターゲット印刷機５８０の色再現域Ｒ１の外にある場合、基準プロファイル５１１に従うと色再現域Ｒ１の範囲内にクリップされる。従って、上記式(5)においてL,a,b値を再計算すると、得られるL,a,b値(L p',a p',b p')は元のL,a,b値(Lp,ap,bp)からずれる。そこで、両者の色差ΔＥ p-p'が基準（閾値ＴＨとする。ＴＨ＞０）を超える場合、生成される予定のパッチＰＡ１の色がターゲット印刷機５８０の色再現域Ｒ１外と推定することにする。
ΔＥ p-p'＝｛（L p'−Lp）2＋（a p'−ap）2＋（b p'−bp）2｝1/2  …(7)
図３，４Ａ，４Ｃに示す例では、パッチＰＡ１の色で塗り潰さず、点線枠Ｆ１を形成することにしている。
【００４８】
（５）色調整装置の具体例：
図５は、色選択用カラーチャート生成方法を実施する色調整装置の構成例を模式的に示している。図５に示す色調整装置１００（色選択用カラーチャート生成装置の例）は、ＣＰＵ（Central Processing Unit）１１１、ＲＯＭ（Read Only Memory）１１２、ＲＡＭ（Random Access Memory）１１３、記憶装置１１４、表示装置１１５、入力装置１１６、通信Ｉ／Ｆ（インターフェイス）１１８、等が接続されて互いに情報を入出力可能とされている。記憶装置１１４は、色調整プログラムＰＲ０、プロファイル５１１，５２２、等を記憶している。記憶装置１１４には、フラッシュメモリー等の不揮発性半導体メモリー、ハードディスク等の磁気記憶装置、等を用いることができる。表示装置１１５には、液晶表示パネル等を用いることができる。入力装置１１６には、ポインティングデバイス、キーボードを含むハードキー、表示パネルの表面に貼り付けられたタッチパネル、等を用いることができる。通信Ｉ／Ｆ１１８は、プリンター５０３の通信Ｉ／Ｆ２１０に接続され、プリンター５０３に対して情報を入出力する。通信Ｉ／Ｆ１１８，２１０の規格には、ＵＳＢ（Universal Serial Bus）、近距離無線通信規格、等を用いることができる。通信Ｉ／Ｆ１１８，２１０の通信は、有線でもよいし、無線でもよく、ＬＡＮ（Local Area Network）やインターネット等といったネットワーク通信でもよい。
【００４９】
色調整装置１００には、パーソナルコンピューター（タブレット型端末を含む。）といったコンピューター等が含まれる。色調整装置１００は、一つの筐体内に全構成要素１１１〜１１８を有してもよいが、互いに通信可能に分割された複数の装置で構成されてもよい。また、プリンターが色調整装置１００にあっても本技術を実施可能であり、印刷機能を有するプリンター自体が本技術の色調整処理を行ってもよい。
プリンター５０３は、色調整装置１００が生成した出力画像に基づく印刷用データを入手し、該印刷用データに基づいて前記出力画像に対応する印刷画像を被印刷物に形成する。プリンター５０３には、インクジェットプリンター以外にも、レーザープリンターといった電子写真方式のプリンター等が含まれ、複写機、ファクシミリ、これらの機能を備えた複合機、等も含まれる。
【００５０】
図５に示す色調整プログラムＰＲ０は、表示値設定機能ＦＵ１、第一変換機能ＦＵ２、第二変換機能ＦＵ３、及び、パッチ形成機能ＦＵ４（色再現域外表示機能ＦＵ５を含む。）を色調整装置１００に実現させる色選択用カラーチャート生成プログラムＰＲ１を含んでいる。
【００５１】
（６）色調整処理の具体例：
図６は、図５に示す色調整装置１００で行われる色調整処理の例を示している。この例では、ステップＳ１３０の色選択用カラーチャート印刷処理が色選択用カラーチャート生成プログラムＰＲ１により行われる。以下、「ステップ」の記載を省略する。
【００５２】
処理が開始されると、色調整装置１００は、各種の条件を設定する条件設定処理を行う（Ｓ１１０）。この条件設定処理は、色置換対象の現在色(Lin_p,ain_p,bin_p)を設定する処理（Ｓ１１２）、カラーパッチ間の色差ｄ＝ΔＬ１＝Δａ１＝Δｂ１を設定する処理（Ｓ１１４）、中心のパッチＰＡ１ａからのパッチ間隔数ｎを設定する処理（Ｓ１１６）、等を含む。条件を設定する処理は、例えば、ユーザーが入力装置１１６を操作したときに該操作を受け付ける処理とすることができる。Ｓ１１２で色置換対象の現在色を特定する入力を受け付ける処理は、例えば、ユーザーが入力装置１１６を操作したときに該操作に応じた現在色を表す情報を取得する処理とすることができ、表示装置１１５に表示された複数の色の中から一つの色を選択する操作を受け付ける処理、L,a,b値を入力する操作を受け付ける処理、等とすることができる。現在色を表す情報は、印刷色ｃｍｙｋpを表す出力データＤ２、L,a,b値(Lin_p,ain_p,bin_p)、プロセスカラーＣＭＹＫinを表す入力データＤ１、のいずれでもよい。パッチ間隔数ｎを固定（例えばｎ＝４に固定）する場合、Ｓ１１６でパッチ間隔数ｎを固定値に設定してもよい。カラーパッチ間の色差ｄを固定（例えばｄ＝１．０に固定）する場合、Ｓ１１４で色差ｄを固定値に設定してもよい。
【００５３】
Ｓ１１０の処理後、色調整装置１００は、カラーパッチ間の色差ｄ＝ΔＬ１＝Δａ１＝Δｂ１、及び、中心のパッチＰＡ１ａからのパッチ間隔数ｎ＝４に基づいて、色選択用カラーチャートＣＨ１（図３参照）をプリンター５０３に印刷させる（Ｓ１３０）。ここで、色調整装置１００は、最大Ｎ＝（２ｎ＋１）3個のカラーパッチＰＡ１について、現在色(Lin_p,ain_p,bin_p)のカラーパッチＰＡ１ａを中心として、明度Ｌ*を明度差ΔＬ１ずつ増減させ、色座標ａ*を彩度差Δａ１ずつ増減させ、色座標ｂ*を彩度差Δｂ１ずつ増減させる。これにより、被印刷物Ｍ１にＮ個のカラーパッチＰＡ１が印刷された色選択用カラーチャートＣＨ１の印刷物ＰＴ１が得られる。Ｓ１３０の処理の詳細は、後述する。
【００５４】
その後、条件を変更して色選択用カラーチャートＣＨ１を再印刷するか否かに応じて処理を分岐させる（Ｓ１４０）。この分岐処理は、例えば、表示装置１１５に再印刷ボタン及び色選択ボタンを表示してボタンの操作に応じて処理を分岐する処理とすることができる。この場合、色調整装置１００は、再印刷ボタンの操作を入力装置１１６において受け付けると条件を変更して処理をＳ１１０に戻し、色選択ボタンの操作を入力装置１１６において受け付けると処理をＳ１５０に進める。
【００５５】
再印刷が行われない場合、色調整装置１００は、色選択用カラーチャートＣＨ１に含まれる複数のカラーパッチＰＡ１の中から目標色（例えば色Ｃt）に最も近い色のカラーパッチの選択を受け付け、色置換５４０が行われるようにして（Ｓ１５０）、色調整処理を終了させる。カラーパッチの選択処理は、例えば、各パッチＰＡ１に対応付けられた識別番号の操作入力を入力装置１１６において受け付ける処理、各パッチＰＡ１に対応する表示パッチを表示装置１１５に表示して複数の表示パッチの中から一つの表示パッチを選択する操作を入力装置１１６において受け付ける処理、等とすることができる。また、色調整装置１００は、色置換前の印刷色ｃｍｙｋpに対応するプロセスカラーＣＭＹＫinを表す印刷原稿データ５１２がＲＩＰ５０２に入力された時にプロセスカラーＣＭＹＫinが直接、目標色に変換されるように設定する。
【００５６】
（７）色選択用カラーチャート印刷処理の具体例：
次に、図６のＳ１３０で行われる色選択用カラーチャート印刷処理の例を説明する。この例では、Ｓ２０２が表示値設定工程ＳＴ１及び表示値設定機能ＦＵ１に対応し、Ｓ２０６が第一変換工程ＳＴ２及び第一変換機能ＦＵ２に対応し、Ｓ２０８が第二変換工程ＳＴ３及び第二変換機能ＦＵ３に対応し、Ｓ２１０〜Ｓ２１４，Ｓ２１８〜Ｓ２２２がパッチ形成工程ＳＴ４及びパッチ形成機能ＦＵ４に対応し、Ｓ２１４が色再現域外表示工程ＳＴ５及び色再現域外表示機能ＦＵ５に対応している。
【００５７】
処理が開始されると、色調整装置１００は、カラーパッチＰＡ１に添えるカラー値Ｖ０の設定画面６１０を表示装置１１５に表示し、カラー値Ｖ０を設定する入力を受け付ける（Ｓ２０２）。図７に示す設定画面６１０では、「入力値」（プリンターカラー値Ｖ２を添えず入力値Ｖ１を添える設定）、「プリンターカラー値」（入力値Ｖ１を添えずプリンターカラー値Ｖ２を添える設定）、及び、「両方」（入力値Ｖ１とプリンターカラー値Ｖ２の両方を添える設定）の中からいずれか一つを選択する操作が可能である。これにより、パッチＰＡ１に添えて印刷するカラー値Ｖ０として、入力値Ｖ１とプリンターカラー値Ｖ２とを切り替えることができ、入力値Ｖ１とプリンターカラー値Ｖ２の両方を印刷することもできる。
【００５８】
色調整装置１００は、入力値Ｖ１を添える設定（「入力値」と「両方」）を受け付けた場合にＳ２０６〜Ｓ２１４の処理を行い、入力値Ｖ１を添えない場合に処理をＳ２１６に進める（Ｓ２０４）。
Ｓ２０６に処理を進めた色調整装置１００は、基準プロファイル５１１に従って、生成される予定の各カラーパッチＰＡ１の色を表すL,a,b値(Lp,ap,bp)をターゲット印刷機５８０に依存するＣＭＹＫ色空間の座標値(Cp,Mp,Yp,Kp)に変換する。この変換は、(Cp,Mp,Yp,Kp)＝ｆICC (OffsetProfile,B2A,(Lp,ap,bp))（式(4)）に従って行うことができる。L,a,b値(Lp,ap,bp)は、カラーパッチ間の色差ｄ＝ΔＬ１＝Δａ１＝Δｂ１、及び、中心のパッチＰＡ１ａからのパッチ間隔数ｎに基づいて各パッチＰＡ１に用意される。
【００５９】
Ｓ２０６の後、色調整装置１００は、基準プロファイル５１１に従って、座標値(Cp,Mp,Yp,Kp)をL,a,b値(L p',a p',b p')に変換する（Ｓ２０８）。この変換は、(L p',a p',b p')＝ｆICC (OffsetProfile,A2B,(Cp,Mp,Yp,Kp))（式(5)）に従って行うことができる。
【００６０】
Ｓ２０８の後、色調整装置１００は、プリンタープロファイル５２２に従って、L,a,b値(L p',a p',b p')をインクジェットプリンター５０３に依存するＣＭＹＫ色空間の座標値(c p',m p',y p',k p')に変換し、カラーチャート元データを生成する（Ｓ２１０）。この変換は、(c p',m p',y p',k p')＝ｆICC (PrinterProfile,B2A,(L p',a p',b p'))（式(6)）に従って行うことができる。色調整装置１００は、C,M,Y,K値(c p',m p',y p',k p')に基づいて、カラー値Ｖ０や点線枠Ｆ１が無くカラーパッチ間の色差ｄでパッチ数Ｎ＝（２ｎ＋１）2のカラーパッチＰＡ１を表す色選択用カラーチャートを表すカラーチャート元データを生成する。このようにして、パッチＰＡ１に入力値Ｖ１が添えられる場合に再変換後のL,a,b値(L p',a p',b p')に基づいてパッチＰＡ１が形成される。
【００６１】
Ｓ２１０の後、色調整装置１００は、C,M,Y,K値(Cp,Mp,Yp,Kp)に基づいて、カラーパッチＰＡ１に入力値Ｖ１の表示を添える付帯データをカラーチャート元データに加える（Ｓ２１２）。この付帯データは、図４Ａで例示したような入力値Ｖ１を表示するためのデータである。
【００６２】
Ｓ２１２の後、L,a,b値(Lp,ap,bp)とL,a,b値(L p',a p',b p')との色差ΔＥ p-p'（式(7)）が閾値ＴＨ（例えば４）を超えたか否かを判断し、色差ΔＥ p-p'が閾値ＴＨを超えた場合に該当するカラーパッチの位置のカラーチャート元データを修正し（Ｓ２１４）、処理をＳ２１６に進める。例えば、色調整装置１００は、ΔＥ p-p'＞ＴＨに該当するカラーパッチの塗り潰しを無くすようにカラーチャート元データを修正し、該当のカラーパッチの位置に点線枠Ｆ１を表示するデータをカラーチャート元データに加える。これにより、ΔＥ p-p'＞ＴＨである場合にカラーパッチの色がターゲット印刷機５８０の色再現域Ｒ１外と推定されたことが色選択用カラーチャートＣＨ１に表されて視認される。修正後のカラーチャート元データは、図４Ａで例示したような色選択用カラーチャートＣＨ１を生成するためのデータである。
【００６３】
Ｓ２１６に処理を進めた色調整装置１００は、プリンターカラー値Ｖ２を添える設定（「プリンターカラー値」と「両方」）を受け付けた場合にＳ２１８〜Ｓ２２０の処理を行い、プリンターカラー値Ｖ２を添えない場合に処理をＳ２２２に進める。
Ｓ２１８に処理を進めた色調整装置１００は、入力値Ｖ１を添える場合、すなわち、カラーチャート元データを生成している場合、Ｓ２１８の処理をスキップする。入力値Ｖ１を添えない場合、色調整装置１００は、プリンタープロファイル５２２に従って、生成される予定の各カラーパッチＰＡ１の色を表すL,a,b値(Lp,ap,bp)をインクジェットプリンター５０３に依存するＣＭＹＫ色空間の座標値(cp,mp,yp,kp)に変換し、カラーチャート元データを生成する。この変換は、(cp,mp,yp,kp)＝ｆICC (PrinterProfile,B2A,(Lp,ap,bp))（式(3)）に従って行うことができる。上述したように、L,a,b値(Lp,ap,bp)は、カラーパッチ間の色差ｄ＝ΔＬ１＝Δａ１＝Δｂ１、及び、中心のパッチＰＡ１ａからのパッチ間隔数ｎに基づいて各パッチＰＡ１に用意される。色調整装置１００は、C,M,Y,K値(cp,mp,yp,kp)に基づいて、カラー値Ｖ０や点線枠Ｆ１が無くカラーパッチ間の色差ｄでパッチ数Ｎ＝（２ｎ＋１）2のカラーパッチＰＡ１を表す色選択用カラーチャートを表すカラーチャート元データを生成する。
【００６４】
Ｓ２１８の後、色調整装置１００は、C,M,Y,K値(cp,mp,yp,kp)に基づいて、カラーパッチＰＡ１にプリンターカラー値Ｖ２の表示を添える付帯データをカラーチャート元データに加え（Ｓ２２０）、処理をＳ２２２に進める。この付帯データは、図４Ｂ，Ｃで例示したようなプリンターカラー値Ｖ２を表示するためのデータである。図４Ｃに例示するように入力値Ｖ１がカラーパッチＰＡ１に添えられている場合、この入力値Ｖ１と重ならないようにプリンターカラー値Ｖ２をカラーパッチＰＡ１に添えることにする。
【００６５】
Ｓ２２２に処理を進めた色調整装置１００は、修正されたカラーチャート元データを最終的なカラーチャートデータとしてプリンター５０３に送信して色選択用カラーチャートＣＨ１を印刷させ、色選択用カラーチャート印刷処理を終了させる。ここで、Ｓ２１２の処理が行われた場合にC,M,Y,K値(Cp,Mp,Yp,Kp)に基づいた入力値Ｖ１の表示がカラーパッチＰＡ１又は点線枠Ｆ１に添えられ、Ｓ２２０の処理が行われた場合にC,M,Y,K値(cp,mp,yp,kp)に基づいたプリンターカラー値Ｖ２の表示がカラーパッチＰＡ１又は点線枠Ｆ１に添えられる。また、Ｓ２１４の処理が行われた場合にΔＥ p-p'＞ＴＨに該当するカラーパッチが色の塗り潰しの無い点線枠Ｆ１に置き換えられる。その結果、被印刷物Ｍ１に、カラーパッチＰＡ１と点線枠Ｆ１が合計Ｎ個印刷され、且つ、カラーパッチＰＡ１又は点線枠Ｆ１に入力値Ｖ１とプリンターカラー値Ｖ２の少なくとも一方が添えられた色選択用カラーチャートＣＨ１の印刷物ＰＴ１が得られる。
【００６６】
入力データ色空間におけるカラーパッチＰＡ１の色の座標を表す入力値Ｖ１の表示がカラーパッチＰＡ１に添えられていると、ユーザーはプロセスカラーＣＭＹＫinに対応する入力値Ｖ１をカラーパッチＰＡ１とともに直接確認することができる。このため、ソフトウエアを用いて入力データを修正する際に便利である。
インクジェットプリンター５０３に依存するＣＭＹＫ色空間におけるカラーパッチＰＡ１の色の座標を表すプリンターカラー値Ｖ２の表示がカラーパッチＰＡ１に添えられていると、ユーザーは印刷色ｃｍｙｋpに対応するプリンターカラー値Ｖ２をカラーパッチＰＡ１とともに直接確認することができる。このため、ＲＩＰの色置換機能を利用して入力データを直接出力データに変換する指定をする際に便利である。
入力値Ｖ１とプリンターカラー値Ｖ２の両方の表示がカラーパッチＰＡ１に添えられていると、ユーザーは、ソフトウエアを用いて入力データを修正する際にも、ＲＩＰの色置換機能を利用して入力データを直接出力データに変換する指定をする際にも、便利である。
【００６７】
また、カラーパッチの色がターゲット印刷機５８０の色再現域外と推定されたことが色選択用カラーチャートＣＨ１に表されるので、ユーザーは、ターゲット印刷機５８０で再現されない色を直接確認することができる。特に、カラーパッチの色がターゲット印刷機５８０の色再現域外と推定されたことが点線枠Ｆ１で表されるので、ユーザーは、ターゲット印刷機５８０で再現されない色のカラー値Ｖ０を把握し易い。
以上より、本具体例は、自分の使用する色置換の方法や環境に応じた色選択用カラーチャートを生成することができ、利便性を向上させることができる。
【００６８】
（８）変形例：
本発明は、種々の変形例が考えられる。
例えば、プリンター５０３は、上述した色以外の色の色材を使用してもよいし、ＣＭＹＫの一部の色材を使用しなくてもよい。
カラーパッチの色がターゲット装置の色再現域外か否かを推定するための色差は、色差式ＣＩＥＤＥ２０００、ＣＭＣ、ＣＩＥＤＥ９４、等による色差でもよい。
【００６９】
上述した処理は、順番を入れ替える等、適宜、変更可能である。例えば、図７の色選択用カラーチャート印刷処理において、入力値Ｖ１を添えるＳ２１２の処理の前に、点線枠Ｆ１を設けるＳ２１４の処理を行ってもよい。
また、図７の色選択用カラーチャート印刷処理において、常に入力値Ｖ１をパッチに添えることを前提として、Ｓ２０２で「プリンターカラー値」を表示せず「入力値」と「両方」のいずれか一方の設定を受け付け、Ｓ２０４の処理を省略してもよい。さらに、常にプリンターカラー値Ｖ２をパッチに添えることを前提として、Ｓ２０２で「入力値」を表示せず「プリンターカラー値」と「両方」のいずれか一方の設定を受け付け、Ｓ２１６の処理を省略してもよい。さらに、入力値Ｖ１とプリンターカラー値Ｖ２とを選択的に添えることを前提として、Ｓ２０２で「両方」を表示せず「入力値」と「プリンターカラー値」のいずれか一方の設定を受け付けてもよい。
尚、入力値Ｖ１とプリンターカラー値Ｖ２の両方を常に表示することを前提として、Ｓ２０２，Ｓ２０４，Ｓ２１６の処理を省略してもよい。プリンターカラー値Ｖ２を表示せず入力値Ｖ１を常に表示する場合には、Ｓ２０２，Ｓ２０４，Ｓ２１６〜Ｓ２２０の処理を省略してもよい。入力値Ｖ１を表示せずプリンターカラー値Ｖ２を表示する場合には、Ｓ２０２〜Ｓ２１６の処理を省略してもよい。
さらに、入力値Ｖ１を表示しない場合に点線枠Ｆ１を設けるＳ２１４の処理を行ってもよい。
【００７０】
カラーパッチの形成予定位置の色がターゲット装置の色再現域外と推定されたことを視認可能にする方法は、点線枠Ｆ１だけを印刷する以外の方法も可能である。例えば、点線枠を形成せずカラーパッチの色の塗り潰しをしないことだけでも、色再現域外か否かの推定を視覚により認識可能である。
また、図４Ａの括弧内に例示するように、パッチＰＡ１に「＊」といったマーク等を付けても、色再現域外か否かの推定を視覚により認識可能である。この場合、点線枠Ｆ１は無くてもよく、パッチの形成予定位置をパッチの色で塗り潰してもよい。
【００７１】
（９）結び：
以上説明したように、本発明によると、種々の態様により、色調整のために利便性の高い色選択用カラーチャート等の技術を提供することができる。むろん、独立請求項に係る構成要件のみからなる技術等でも、上述した基本的な作用、効果が得られる。
また、上述した例の中で開示した各構成を相互に置換したり組み合わせを変更したりした構成、公知技術及び上述した例の中で開示した各構成を相互に置換したり組み合わせを変更したりした構成、等も実施可能である。本発明は、これらの構成等も含まれる。
【符号の説明】
【００７２】
１００…色調整装置（色選択用カラーチャート生成装置の例）、１１４…記憶装置、１１５…表示装置、１１６…入力装置、５００…カラーマネジメントシステム、５０１…印刷原稿作成アプリケーション、５０２…ＲＩＰ、５０３…プリンター、５０４…印刷物、５１１…基準プロファイル、５１２…印刷原稿データ、５２１…入力プロファイル、５２２…プリンタープロファイル、５４０…色置換、５８０…ターゲット印刷機（ターゲット装置の例）、６１０…設定画面、Ｄ１…入力データ、Ｄ２…出力データ、ＣＨ１…色選択用カラーチャート、Ｆ１…点線枠、ＦＵ１…表示値設定機能、ＦＵ２…第一変換機能、ＦＵ３…第二変換機能、ＦＵ４…パッチ形成機能、ＦＵ５…色再現域外表示機能、Ｍ１…被印刷物、Ｐ１…第一カラーパッチ、Ｐ２…第二カラーパッチ、Ｐ３…第三カラーパッチ、ＰＡ１…パッチ、ＰＡ１ａ…中心のパッチ、ＰＲ０…色調整プログラム、ＰＲ１…色選択用カラーチャート生成プログラム、ＰＴ１…印刷物、Ｒ１，Ｒ２…色再現域、ＳＴ１…表示値設定工程、ＳＴ２…第一変換工程、ＳＴ３…第二変換工程、ＳＴ４…パッチ形成工程、ＳＴ５…色再現域外表示工程、Ｖ０…カラー値、Ｖ１…入力値（カラー値の例）、Ｖ２…プリンターカラー値（カラー値の例）。
【図１】
0006769124.tif 000002
【図２】
0006769124.tif 000003
【図３】
0006769124.tif 000004
【図４】
0006769124.tif 000005
【図５】
0006769124.tif 000006
【図６】
0006769124.tif 000007
【図７】
0006769124.tif 000008